(57)【要約】【課題】磁器質タイルの美麗な外観を損なうことなく、ＬＥＤの点滅を制御することによって変化する表示を備える電光表示タイル及び電光表示装置を提供する。【解決手段】磁器質タイル本体１１の裏面１１ｂから表面１１ａ側に向けて内底部１３を有する孔部１２を複数穿設して前記内底部にタイル本体表面への透光部１４を形成するとともに、前記各孔部内にＬＥＤ２１をそれぞれ配置して該ＬＥＤの点滅を制御することにより、タイル本体の表面に前記透光部を介して変化する表示部１５が形成されるようにした。【選択図】          図１
2004245920.tif 000002
【特許請求の範囲】
【請求項１】
磁器質タイル本体の裏面から表面側に向けて内底部を有する孔部を複数穿設して前記内底部にタイル本体表面への透光部を形成するとともに、前記各孔部内にＬＥＤをそれぞれ配置して該ＬＥＤの点滅を制御することにより、タイル本体の表面に前記透光部を介して変化する表示部が形成されるようにしたことを特徴とする電光表示タイル。
【請求項２】
前記孔部及びＬＥＤがマトリックス状に配置されている請求項１に記載の電光表示タイル。
【請求項３】
前記タイル本体の裏面に隣接する孔部の開口部と接続する溝部が形成されている請求項１または２に記載の電光表示タイル。
【請求項４】
前記タイル本体の裏面を覆う裏カバーを有する請求項１ないし３のいずれか１項に記載の電光表示タイル。
【請求項５】
前記タイル本体が内外装壁用又は床用タイルである請求項１ないし４のいずれか１項に記載の電光表示タイル。
【請求項６】
請求項１ないし５のいずれか１項に記載の電光表示タイルが複数配設されてなる電光表示装置。
【請求項７】
前記電光表示タイルのＬＥＤの点滅制御がタイル本体の外部の制御装置によって行われる請求項６に記載の電光表示装置。
【発明の詳細な説明】
【０００１】
【発明の属する技術分野】
この発明は電光表示タイル及び電光表示装置に関する。
【０００２】
【従来の技術】
従来、例えば建築物やその他の建造物の床や壁などに案内表示として、発光設備を埋設した構造がある。この種案内板としては蛍光灯を内蔵してパネルを裏側から照射するなどの構造が一般的であった。最近では、モザイクタイルなどの建材自体にＬＥＤ等の発光体を設置して方向表示等をする構造もある（例えば、特許文献１参照）。
【０００３】
しかるに、前記タイルに発光体を設けた構造は、タイルの所定位置に貫通孔を形成し、該貫通孔にＬＥＤを配置するとともに、タイル表面側の開口部分に透光性のある別部材を用いて閉鎖したものであるため、タイルの表面には別部材が露出して、特にＬＥＤを点滅していないときには違和感のある外観を避けられなかった。
【０００４】
【特許文献１】
特開２００１−１４７６５７号公報
【０００５】
【発明が解決しようとする課題】
この発明は、このような問題点に鑑みなされたものであって、磁器質タイルの美麗な外観を損なうことなく、ＬＥＤの点滅を制御することによって変化する表示部を備えた電光表示タイル及び電光表示装置を提供する。
【０００６】
【課題を解決するための手段】
すなわち、請求項１の発明は、磁器質タイル本体の裏面から表面側に向けて内底部を有する孔部を複数穿設して前記内底部にタイル本体表面への透光部を形成するとともに、前記各孔部内にＬＥＤをそれぞれ配置して該ＬＥＤの点滅を制御することにより、タイル本体の表面に前記透光部を介して変化する表示部が形成されるようにしたことを特徴とする電光表示タイルに係る。
【０００７】
また、請求項２の発明は、前記孔部及びＬＥＤがマトリックス状に配置されている請求項１に記載の電光表示タイルに係る。
【０００８】
請求項３の発明は、前記タイル本体の裏面に隣接する孔部の開口部と接続する溝部が形成されている請求項１または２に記載の電光表示タイルに係る。
【０００９】
請求項４の発明は、前記タイル本体の裏面を覆う裏カバーを有する請求項１ないし３のいずれか１項に記載の電光表示タイルに係る。
【００１０】
請求項５の発明は、前記タイル本体が内外装壁用又は床用タイルである請求項１ないし４のいずれか１項に記載の電光表示タイルに係る。
【００１１】
さらに、請求項６の発明は、請求項１ないし５のいずれか１項に記載の電光表示タイルが複数配設されてなる電光表示装置に係る。
【００１２】
さらにまた、請求項７の発明は、前記電光表示タイルのＬＥＤの点滅制御がタイル本体の外部の制御装置によって行われる請求項６に記載の電光表示装置に係る。
【００１３】
【発明の実施の形態】
以下添付の図面に従ってこの発明を詳細に説明する。
図１はこの発明の一実施例を示す電光表示タイルの分解斜視図、図２はタイル本体にＬＥＤを配置した状態を示す断面図、図３は電光表示タイルの表示態様の一例を示す図、図４は電光表示タイルを複数枚配置してなる電光表示装置の一例を示す斜視図、図５は電光表示装置の表示態様の一例を示す図、図６はさらに電光表示装置の表示態様の他の例を示す図である。
【００１４】
この発明の電光表示タイルは、図１に示すように、磁器質タイル本体１１の裏面１１ｂから表面１１ａ側に向けて内底部１３を有する孔部１２を複数穿設して前記内底部１３にタイル本体表面１１ａへの透光部１４を形成するとともに、前記各孔部１２内にＬＥＤ２１をそれぞれ配置して該ＬＥＤ２１の点滅を制御することにより、タイル本体１１の表面１１ａに前記透光部１４を介して変化する表示部１５が形成されるようにしたものである。
【００１５】
前記磁器質タイル本体１１は、耐久性、耐候性、耐食性など優れた特性を有するもので、より好ましくは透光性に優れる白色の磁器質タイルが用いられる。タイル本体１１のサイズは図１のような正方形型や、いわゆる二丁掛といわれるサイズ（図３のタイル１０Ａ参照）など特に限定するものではなく、一般に内外装材として用いられるサイズにもできる。該磁器質タイル本体１１は、カオリンや珪砂、長石、タルク等を所定分量で調合した原料をタイルプレス成型機で加圧成型し焼成するか、細部は切削加工するなどして電子部品を配置できるようタイル基盤を成型して焼成する。このほか鋳込成型や、土練機成型など公知のタイル成型方法を用いることもできる。
【００１６】
前記磁器質タイル本体１１に形成される孔部１２は、実施例において、ＬＥＤ２１の他に、抵抗２２、トランジスタ２３、振動子２４、マイコン２５や、図示しない電源部などの電子部品２０が組み込めるよう内底部を２〜４ｍｍ残した状態で穿設したものである。内底部１３はＬＥＤ２１の光を透過して表面１１ａ側に発光する透光部１４となるため、設置場所に応じた強度を考慮しつつ、できるだけ薄い方が好ましい。なお、実施例ではマイコン２４などのＬＥＤ２１以外の電子部品２０も組み込めるようにしたが、それらの電子部品２０はタイルの外に別装置として設けることもできる。前記電源部としては、太陽電池や乾電池を用いることもできる。
【００１７】
前記孔部１２及びＬＥＤ２１は、請求項２に示し、図からも解るようにマトリックス状に配置するのが好ましい。すなわちマトリックス状とすることによって、文字表示や案内、矢印、模様など様々な表示態様に対応することができるようになる。なお、マイコン２４などのＬＥＤ２１以外の電子部品２０の配置に関してはこれに限るものではない。
【００１８】
また、前記タイル本体１１の裏面１１ｂには、請求項３に規定し、図２の拡大断面図に示すように、隣接する孔部１２の開口部１２ａと接続する溝部１６を形成すれば、ＬＥＤ２１等の電子部品２０をつなぐ配線２６を収納することができ、配線２６の厚みでタイル裏面１１ｂが膨らんで突出することがない。さらに、図示しないが、タイル本体１１から外部へ配線２６が延長する場合にはタイル本体１１の外周縁部にも溝部（図示せず）を形成してもよい。また、実施例の電子部品２０の各配線２６はホットメルト接着材２７等で溝部１６に固定している。なお、電子部品２０の各配線２６は図のような直配線でもいいが、プリント基板を利用することもできる。
【００１９】
さらに、このタイル本体１１の裏面１１ｂには、請求項４に規定するようなタイル裏面を覆う裏カバー３０を取り付けることができる。この裏カバー３０は、実施例においてはゴム製のものを接着したが、該電光表示タイル１０の使用用途によってその材質や、取り付け方法が選択される。なお、戸外で使用される場合には電子部品の保護のために耐水絶縁を考慮して密封する必要がある。
【００２０】
前記タイル本体１１は、請求項５に規定したように、内、外装壁用又は床用タイルである。したがって、該電光表示タイル１０を、タイル張りの壁面や床面の一部として配置することができ、発光表示しないときには通常の壁材や床材の一部として、外観に違和感を与えることがない。
【００２１】
また、電光表示タイル１０は、請求項６に規定し、図４及び図５に示すように、複数配設してなる電光表示装置４０とすることができる。該電光表示装置４０によれば、電光表示タイル１０を適宜数連接して設けることにより、さらにいろんな表示内容とすることができるとともに、例えば該電光表示装置４０を壁面に施工した場合、大きな壁面全体を表示装置として使用することが可能となる。
【００２２】
前記電光表示装置４０にあっては、請求項７に規定したように、電光表示タイル１０のＬＥＤ２１の点滅制御がタイル本体１１の外部の制御装置（図示せず）によって行うようにしてもよい。特に大型の電光表示装置ともなれば、制御装置の操作によって表示内容をまとめて変更することができ便利である。
【００２３】
この電光表示装置４０で表示される内容は、例えばＰＩＣなどのワンチップマイコンにプログラムとして入力して、例えば図５に示すように、時計表示したり、スクロールして諸情報を文章として順次表示したり、または矢印や動く点で通行人を誘導するような表示、さらには図６示すように近接センサーを備えて人が近づくと「いらっしゃいませ」と点滅するような多彩な表示ができる。また、表示装置の変更は、設置後にもマイコンのプログラム変更により所望の設定に容易に行うことができる。より好ましくはマイコンをタイル本体１１に内蔵した場合であっても、外部より書き込み修正等ができるような構造にしておく。
【００２４】
この電光表示タイル１０及び電光表示装置４０にあっては、磁器質タイルの耐候性や耐久性にあわせて、ＬＥＤの長寿命性を兼ね持つものであるため、屋外の過酷な環境条件のなかであっても、また交換しにくい場所にも設置できる。
【００２５】
【発明の効果】
以上説明したように、この発明の電光表示タイル及び電光表示装置によれば、外観は通常の磁器質タイルの風合いでありながら、タイル表面にはＬＥＤが透光部を介して変化する表示部が形成されるものであるため、外観よく表示装置を設置することができる。
【００２６】
また、この電光表示タイル及び電光表示装置によれば、耐候性及び耐久性のある磁器質タイルに、長寿命のＬＥＤを用いた構造であるので、環境の厳しく、また、なかなか交換のしにくい場所にも設置することができる。
【図面の簡単な説明】
【図１】この発明の一実施例を示す電光表示タイルの分解斜視図である。
【図２】タイル本体にＬＥＤを配置した状態を示す断面図である。
【図３】電光表示タイルの表示態様の一例を示すである。
【図４】電光表示タイルを複数枚配置してなる電光表示装置の一例を示す斜視図である。
【図５】電光表示装置の表示態様の一例を示す図である。
【図６】電光表示装置の表示態様の他の例を示す図である。
【符号の説明】
１０  電光表示タイル
１１  磁器質タイル本体
１２  孔部
１３  内底部
１４  透光部
１５  表示部
１６  溝部
２１  ＬＥＤ
３０  裏カバー
４０  電光表示装置
【図１】
2004245920.tif 000003
【図２】
2004245920.tif 000004
【図３】
2004245920.tif 000005
【図４】
2004245920.tif 000006
【図５】
2004245920.tif 000007
【図６】
2004245920.tif 000008